(57)【要約】  アナライトモニタシステムである血糖モニタシステム（１０）は、血液中の血糖値をサンプリング間隔に基づき複数検出するセンサ（１２）と、食事内容に基づく情報を設定する食事データ設定部（４８）と、この食事データ設定部（４８）が設定した食事内容に基づく情報を用いて、センサ（１２）のサンプリング間隔を設定するサンプリング間隔設定部（５０）と、を備える。食事内容に基づく情報により、食後の血糖値の変動カーブを予測して、サンプリング間隔を変更することで、血糖値の変動状態を効率的にモニタリングすることができる。
2013046911.tif 000002
【特許請求の範囲】
【請求項１】
使用者の体内に埋め込まれる検出手段（１２）によって持続的にアナライトを計測するアナライトモニタシステム（１０）において、
前記検出手段（１２）は、サンプリング間隔に基づきアナライト濃度を検出し、
食事内容に基づく情報を設定する食事データ設定手段（４８）と、
前記食事データ設定手段（４８）が設定した前記食事内容に基づく情報を用いて、前記検出手段（１２）の前記サンプリング間隔を設定するサンプリング間隔設定手段（５０）と、を備える
ことを特徴とするアナライトモニタシステム（１０）。
【請求項２】
請求項１記載のアナライトモニタシステム（１０）において、
食事時間情報を設定する食事時間設定手段（４６）をさらに備え、
前記サンプリング間隔設定手段（５０）は、前記食事時間設定手段（４６）が設定した食事時間情報に基づき、前記検出手段（１２）の前記サンプリング間隔を変更する
ことを特徴とするアナライトモニタシステム（１０）。
【請求項３】
請求項１記載のアナライトモニタシステム（１０）において、
前記食事内容に基づく情報は、該食事内容毎の炭水化物の量を示すカーボ値である
ことを特徴とするアナライトモニタシステム（１０）。
【請求項４】
請求項３記載のアナライトモニタシステム（１０）において、
前記食事内容毎の前記カーボ値をデータベース（６０）として保存するデータベース記憶手段（５８）と、
前記カーボ値が関連付けられた食事内容を表示する表示手段（３６）と、を備える
ことを特徴とするアナライトモニタシステム（１０）。
【請求項５】
請求項４記載のアナライトモニタシステム（１０）において、
前記食事データ設定手段（４８）は、前記表示手段（３６）が表示した食事内容が選択されることで、該選択された食事内容の前記カーボ値を設定する
ことを特徴とするアナライトモニタシステム（１０）。
【請求項６】
請求項３記載のアナライトモニタシステム（１０）において、
複数種類のサンプリング間隔を組み合わせた複数のパターンデータを記憶可能なサンプリングパターン記憶手段（５８）を有し、
前記サンプリング間隔設定手段（５０）は、一回の食事における前記カーボ値の合計値を算出し、前記合計値に基づき前記複数のパターンデータから１つを選択する
ことを特徴とするアナライトモニタシステム（１０）。
【請求項７】
請求項６記載のアナライトモニタシステム（１０）において、
前記アナライトが血糖値である
ことを特徴とするアナライトモニタシステム（１０）。
【請求項８】
請求項７記載のアナライトモニタシステム（１０）において、
前記複数のパターンデータは、前記カーボ値に基づき食後に血糖値が最も上昇すると予測されるピーク値付近に応じて、前記複数種類のサンプリング間隔の実施期間がそれぞれ設定されている
ことを特徴とするアナライトモニタシステム（１０）。
【発明の詳細な説明】
【技術分野】
【０００１】
本発明は、サンプリング間隔に基づきアナライトを検出するアナライトモニタシステムに関する。
【背景技術】
【０００２】
糖尿病は、糖、タンパク質、脂肪代謝等の異常を招き、特に血中グルコース(血糖：アナライト)の蓄積、停滞が持続する。そのため、糖尿病患者（以下、ユーザともいう）は血糖管理（血糖コントロール）を継続的に行うことが求められる。近年では、より高度な血糖管理を行うために、血糖値を所定のサンプリング間隔で測定するＣＧＭ（Ｃｏｎｔｉｎｕｏｕｓ  Ｇｌｕｃｏｓｅ  Ｍｏｎｉｔｏｒｉｎｇ）と呼ばれる持続血糖モニタシステム（アナライトモニタシステム）が開発されている（特表２００３−５０２０９０号公報参照）。【０００３】
特表２００３−５０２０９０号公報に開示されている血糖モニタシステムは、血糖値を測定するセンサと、検出した測定結果を送信するモニタ送信機と、測定結果が受信され血糖値が表示されるモニタ装置（特性モニタ装置）とを備える。このモニタ装置は、モニタ送信機からの信号を予め設定されたサンプリング間隔で受信することで、一定の時間間隔で測定結果が得られるように構成される。
【発明の概要】
【０００４】
さて、血糖値は、食事をした時刻から上昇を開始し、最も高まるピーク値の前後所定時間にその変動率が大きくなり、該ピーク値からある程度時間を経過した後は比較的変動率が小さい状態で下降する変動カーブを描く。血糖管理においては、食後に血糖値が大きく変動する際の変動状態を認識し、治療（例えば、食事内容や食事方法の指導）に役立てることが重要とされている。
【０００５】
しかしながら、血糖値の変動状態は、食事で摂取した種々の栄養素（例えば、炭水化物、タンパク質及び脂質等）によって、血糖に変わる割合や速度が相違するために、食事内容によって異なる変動カーブを見せることが知られている。例えば、炭水化物中心の食事をした場合と、脂質中心の食事をした場合とでは、炭水化物中心の食事のほうが、血糖値の上昇時間が早く、その変動率（変動カーブ）も大きくなる。
【０００６】
したがって、血糖値のモニタリングでは、血糖値の変動カーブに応じた効率的な血糖値の検出が望まれるが、従来のモニタ装置（例えば、特表２００３−５０２０９０号公報参照）では、血糖値を一定の時間間隔でサンプリングするため、血糖値を詳細に測定しようとすれば、サンプリング間隔を充分に短くする必要がある。この場合、血糖値の変動率が小さい安定期間（食事時間からある程度経過した期間）でも、多数の血糖値データを検出することになり、システムが扱うデータ量が増加する、又は検出にともない電力消費量が増加する等の不都合が生じる。逆に、血糖値のサンプリング間隔を長くすると、血糖値の変動を充分に捉えることができないおそれがある。
【０００７】
本発明は、上記の事情に鑑みてなされたものであり、食後に血糖値（アナライト濃度）が大きく変動する期間ではサンプリング間隔を短くし、血糖値の変動が小さい期間ではサンプリング間隔を長くすることで、血糖値のモニタリングを効率的に行うことができ、これにより血糖管理を良好に実施することができるアナライトモニタシステムを提供することを目的とする。
【０００８】
前記の目的を達成するために、本発明は、使用者の体内に埋め込まれる検出手段によって持続的にアナライトを計測するアナライトモニタシステムにおいて、前記検出手段は、サンプリング間隔に基づきアナライト濃度を検出し、食事内容に基づく情報を設定する食事データ設定手段と、前記食事データ設定手段が設定した前記食事内容に基づく情報を用いて、前記検出手段の前記サンプリング間隔を設定するサンプリング間隔設定手段と、を備えることを特徴とする。
【０００９】
上記によれば、サンプリング間隔設定手段が食事内容に基づく情報を用いて、検出手段のサンプリング間隔を設定することで、食後にアナライト（例えば、血糖）が大きく変動する期間では、サンプリング間隔を短くして血糖値（アナライト濃度）のサンプリング数を増やし、血糖値の変動が小さい期間ではサンプリング間隔を長くすることで血糖値のサンプリング数を減らすことができる。すなわち、食事内容に基づく情報を使用することで、食事において摂取した栄養素から血糖に変換されるまでの時間を比較的簡単に割り出すことができ、血糖値の変動カーブを予測して、サンプリング間隔を変更することができる。よって、血糖値の変動状態を効率的にモニタリングすることができ、血糖管理を良好に実施することができる。
【００１０】
この場合、食事時間情報を設定する食事時間設定手段をさらに備え、前記サンプリング間隔設定手段は、前記食事時間設定手段が設定した食事時間情報に基づき、前記検出手段の前記サンプリング間隔を変更するとよい。
【００１１】
このように、食事時間情報に基づき検出手段のサンプリング間隔を適時変更することで、食後に血糖値が上昇し、ピーク値付近の前後所定時間の変動率が大きい血糖値を、短いサンプリング間隔で検出することが可能となり、血糖管理に重要な期間のモニタリング精度を向上することができる。
【００１２】
また、前記食事内容に基づく情報は、該食事内容毎の炭水化物の量を示すカーボ値とすればよい。
【００１３】
このように、食事内容に基づく情報として、食事内容毎の炭水化物の量を示すカーボ値を用いることで、食事で摂取した炭水化物が血糖に変換される時間を予測することが可能となる。したがって、カーボ値から血糖値のサンプリング間隔を設定すれば、変動率が大きい期間の血糖値を重点的に測定することができる。
【００１４】
また、前記食事内容毎の前記カーボ値をデータベースとして保存するデータベース記憶手段と、前記カーボ値が関連付けられた食事内容を表示する表示手段と、を備えていてもよい。
【００１５】
このように、表示手段によってカーボ値が関連付けられた食事内容を表示すれば、ユーザは、表示された食事内容に基づくカーボ値を容易に利用することができる。
【００１６】
さらに、前記食事データ設定手段は、前記表示手段が表示した食事内容が選択されることで、該選択された食事内容の前記カーボ値を設定するようにしてもよい。
【００１７】
これにより、ユーザは、表示手段が表示した食事内容を選択するだけで、カーボ値を利用することができるので、ユーザ自身が食事内容をカーボ値に換算する作業を省略することが可能となり、血糖値のサンプリング間隔をより簡単に設定することができる。
【００１８】
ここで、複数種類のサンプリング間隔を組み合わせた複数のパターンデータを記憶可能なサンプリングパターン記憶手段を有し、前記サンプリング間隔設定手段は、一回の食事における前記カーボ値の合計値を算出し、前記合計値に基づき前記複数のパターンデータから１つを選択することができる。
【００１９】
このように、カーボ値の合計値に基づき複数のパターンデータから１つを選択することで、カーボ値に基づくパターンデータに沿って簡単にサンプリング間隔を変更することができる。
【００２０】
また、前記アナライトが血糖値であり、前記複数のパターンデータは、前記カーボ値に基づき食後に血糖値が最も上昇すると予測されるピーク値付近に応じて、前記複数種類のサンプリング間隔の実施期間がそれぞれ設定されているとよい。
【００２１】
このように、食後に血糖値が最も上昇すると予測されるピーク値付近に応じて、複数種類のサンプリング間隔の実施期間がそれぞれ設定されることで、血糖値の変動率が大きいピーク値の前後所定時間に対し、１つのパターンデータのうち最も短いサンプリング間隔を合わせて血糖値を検出することができ、血糖値のモニタリング精度を一層向上することができる。
【００２２】
本発明によれば、食後に血糖値が大きく変動する期間ではサンプリング間隔を短くし、血糖値の変動が小さい期間ではサンプリング間隔を長くすることで、血糖値のモニタリングを効率的に行うことができ、これにより血糖管理を良好に実施することができる。
【図面の簡単な説明】
【００２３】
【図１】本発明に係る食事時間と生体内の血糖値の変動を示すグラフである。
【図２】食事内容とカーボ値の対応関係の一例を示す表である。
【図３】本実施の形態に係る血糖モニタシステムの全体構成を概略的に示す説明図である。
【図４】図３の血糖モニタシステムのシステムブロック図である。
【図５】サンプリング間隔の設定処理を行う図４のモニタ装置の機能ブロック図である。
【図６】サンプリング間隔のパターンデータを概略的に示す説明図である。
【図７】本実施の形態に係る血糖モニタシステムによる血糖値の測定動作の一例を示すフローチャートである。
【図８】本実施の形態に係る血糖モニタシステムによるサンプリング間隔の処理動作を示すフローチャートである。
【図９】図９Ａは、具体例に係る血糖値の変動カーブの一例を示すグラフであり、図９Ｂは、本血糖モニタシステムを用いて血糖値のサンプリング間隔を変更した場合に、図９Ａの変動カーブから得られる血糖値データの標本グラフである。
【発明を実施するための形態】
【００２４】
以下、本発明に係るアナライトモニタシステム（血糖モニタシステム）について好適な実施の形態を挙げ、添付の図面を参照して詳細に説明する。
【００２５】
先ず、本実施の形態に係る血糖モニタシステムを説明する前提事項として、食事内容と血糖値の変動の関係、及び食事内容とカーボ値の関係について詳述する。なお、本実施の形態における「時刻」とは、例えば、１２時、１２時３０分等のように、一日の中でのある時点を指す意味で用いており、「時間量」とは、１時間、１時間３０分等のように、ある時点から他の時点までの間（長さ）を指す意味で用いており、「時間」とは、時刻及び時間量を含む意味で用いている。
【００２６】
図１は、本発明に係る食事時間と生体内の血糖値の変動を示すグラフであり、図２は、食事内容とカーボ値の対応関係の一例を示す表である。
【００２７】
図１に示すように、人体においては、食事によって摂取した栄養素が血糖（ブドウ糖）に変わる割合と時間（すなわち、速度）が異なることが知られている。例えば、糖質は、ブドウ糖への変化率が略１００％で、比較的容易に消化されるため、食後から１時間前後に最も多くの量の糖質がブドウ糖へ変化する。一方、タンパク質は、ブドウ糖への変化率が略５０％で、糖質に比べて緩やかにブドウ糖に変化するため、食後から３時間前後に最も多くの量のタンパク質がブドウ糖へ変化する。また、脂質は、ブドウ糖への変化率が１０％未満で、消化に時間がかかるため、ブドウ糖に変化する量のピークは食後から１０時間前後である。
【００２８】
すなわち、食事内容（食事における栄養素）によって、食後の血糖値の上昇速度が異なるので、食後から血糖値が上昇してピーク値となる時間の設定が難しくなる。なお、従来の血糖管理においては、医師から一律的且つ経験的に食後２時間後に血糖値を測定するように指導されることが多い。
【００２９】
ここで、血糖値の上昇を簡易的に判断する場合には、カーボ値を用いたカウント方法（カーボカウント）が考えられる。このカーボカウントは、血糖を安定化するインスリンの投与量を調整する際に利用されている。この「カーボ値」とは、食事内容に含まれる炭水化物の量を示す指標であり、例えば、炭水化物量１０ｇを１カーボとすることで、食事内容毎にカーボ値が換算される。
【００３０】
例えば、図２に示す表のように、ごはん（１５０ｇ：茶碗１杯分）でカーボ値が５．５、食パン（６０ｇ：６枚切り１枚）でカーボ値が３．０、エビフライ（２尾）でカーボ値が１．０等のように、食事内容毎にカーボ値を換算することができる。このカーボ値が高い場合は、食事中にとる炭水化物量が多いことになり、血糖に変化する量が多くなるとともに、血糖値がピーク値を迎える時間も早まることが予測できる。
【００３１】
本発明に係る血糖モニタシステムは、従来インスリン量の調整にしか利用されていなかった「カーボ値」を有効に利用することで、血糖値の変動状態（ピーク値及びピーク値の前後所定時間の変動カーブ）を予測して、血糖値のサンプリング間隔を変動させるものである。
【００３２】
図３は、本実施の形態に係る血糖モニタシステム１０の全体構成を概略的に示す説明図であり、図４は、図３の血糖モニタシステム１０のシステムブロック図である。
【００３３】
血糖モニタシステム１０は、図３に示すように、血糖値（アナライト濃度）を測定するセンサ１２（検出手段）と、該センサ１２が測定した血糖値（測定値）の信号を無線で送信する送受信装置１４と、送受信装置１４が送信する信号を受信し、測定値を記憶又は表示するモニタ装置１６と、によって構成される。
【００３４】
センサ１２は、血中のグルコースを光学的に測定可能なセンシング装置が適用される。具体的には、グルコースと標識化合物（蛍光色素化合物：例えば、フルオロセイン標識デキストランやフェニルボロン酸誘導体等の蛍光残基を有するもの）を相互作用させ、蛍光強度が変化する現象を利用した検出用のセンサ（蛍光センサ）である。
【００３５】
センサ１２の筐体は、外光を遮光可能な樹脂材等によって略矩形状に形成され、生体の所定箇所（例えば、腕や脇腹等）に取り付けられる。センサ１２における生体（皮膚）との接触面１２ａは、ハイドロゲルとカーボンブラック等によって構成される。これによりグルコースを通過させる一方で、外光が遮断される。
【００３６】
図４に示すように、センサ１２の筐体内部には、測定部１８及びＡ／Ｄ変換部２０が設けられる。測定部１８は、シリコン等からなる基体、受光素子（例えば、フォトダイオード素子）、保護膜、フィルタ、発光素子（例えば、発光ダイオード素子）、インジケータ層等が積層され、さらにインジケータ層に連なる接触面１２ａ側に穿刺針が設けられる（ともに図示せず）。
【００３７】
測定部１８は、穿刺針が生体に穿刺及び留置される（すなわち、埋め込まれる）ことで、接触面１２ａを介して、インジケータ層に血液を案内する。インジケータ層は、標識化合物としての蛍光色素を含んで構成され、これにより接触面１２ａから進入したグルコースと標識化合物が相互作用する。センサ１２は、測定部１８の発光素子を発光して、測定光をインジケータ層に入射させると、グルコースの濃度に応じた強度の蛍光を得る。インジケータ層からの蛍光は、フィルタ等を透過した後、受光素子により光電変換され、血糖値の信号として、Ａ／Ｄ変換部２０に供給される。
【００３８】
なお、センサ１２としては、血糖値のサンプリング間隔を容易に変動させることが可能な光学センサ（上記のような蛍光センサ）を適用することが好ましいが、該光学センサに限定されるものではなく、例えば、血糖値をグルコースオキシダーゼ（ＧＯＤ）等の酵素を用いた酵素電極法等による電気的（電気化学方式）に測定するセンサを適用してもよい。
【００３９】
Ａ／Ｄ変換部２０は、測定部１８によって検出された血糖値の電流値（アナログ信号）を電圧値に変換するとともに、該電圧値を増幅してデジタル信号に変換する。これにより、センサ１２から送受信装置１４には、血糖値のデジタル信号が送られる。
【００４０】
血糖モニタシステム１０の送受信装置１４は、図３に示すように、センサ１２の一端部に直接接続され、センサ１２による血糖値の検出を制御するとともに、該センサ１２が検出した血糖値をモニタ装置１６に送信する機能を有する。この送受信装置１４は、センサ１２と共に生体の皮膚上に容易に留置されるように平たい筐体に構成される。図４に示すように、送受信装置１４の筐体内部には、センサ側制御部２２、センサ側記憶部２４、センサ側送受信モジュール２６及びセンサ側電源２８等が設けられる。
【００４１】
送受信装置１４のセンサ側制御部２２は、周知のマイクロコンピュータ（マイクロプロセッサ：ＭＰＵ）等が適用される。センサ側制御部２２は、センサ側記憶部２４に保存された測定用のプログラム（図示せず）に従って動作することで、センサ１２による血糖値の検出を制御する。また、センサ側制御部２２は、処理クロックを利用した内部タイマー（図示せず）を有し、該タイマーによるカウントにより、サンプリング間隔に基づく血糖値の検出を行う。
【００４２】
センサ側記憶部２４は、ＲＯＭ及びＲＡＭによって構成され、血糖値の測定用のプログラムが予めＲＯＭに記憶されるとともに、センサ１２が検出した血糖値データ、及び後述するサンプリング間隔情報が一時的にＲＡＭに記憶される。
【００４３】
センサ側送受信モジュール２６は、モニタ装置１６のモニタ側送受信モジュール３４との間で、データの送受信を行う機能を有しており、特に本実施の形態では無線データ通信を実現するモジュール（例えば、高周波数帯域の電波を出力及び入力可能なＲＦモジュール）が適用される。血糖のモニタリングを実施する場合は、センサ１２及び送受信装置１４の配置位置（すなわち、生体の所在）に対して、モニタ装置１６の配置位置がそれほど離間しないことが予測されるので、センサ側送受信モジュール２６及びモニタ側送受信モジュール３４は近距離通信用の規格（例えば、ＩＥＥＥ  ８０２．１５）を採用してもよい。
【００４４】
センサ側電源２８は、例えば、ボタン型電池、丸型乾電池、角型乾電池、二次電池又は外部電源等を適用することができる。このセンサ側電源２８は、センサ１２及び送受信装置１４の電力によって駆動する内部機構（測定部１８、Ａ／Ｄ変換部２０、センサ側制御部２２、センサ側記憶部２４、センサ側送受信モジュール２６等）に対し必要な電力を供給する。
【００４５】
一方、血糖モニタシステム１０のモニタ装置１６は、図３に示すように、表示パネル３６（表示手段）、操作ボタン３８が設けられた携帯端末として構成される。このモニタ装置１６の筐体内部には、図４に示すように、モニタ側制御部３０、モニタ側記憶部３２、モニタ側送受信モジュール３４、タイマー４０、モニタ側電源４２等が配設される。
【００４６】
モニタ側制御部３０は、センサ側制御部２２と同様に、周知のマイクロコンピュータ等が適用される。このモニタ側制御部３０は、モニタ側記憶部３２に予め保存される制御用のプログラム（以下、制御プログラム４４という：図５参照）に基づいて所定の処理を行う。
【００４７】
制御プログラム４４は、センサ１２、送受信装置１４及びモニタ装置１６を含む血糖モニタシステム１０全体の制御を行うものである。すなわち、モニタ装置１６は、制御プログラム４４に基づき、センサ１２による血糖値のサンプリング間隔の設定、センサ１２が検出した複数の血糖値データの記憶及び表示、又は外部機器（例えば、コンピュータ）に対する血糖値データの送信等が実施可能となっている。
【００４８】
モニタ側記憶部３２は、センサ側記憶部２４と同様に、ＲＯＭ及びＲＡＭによって構成される。このモニタ側記憶部３２には、上記の制御プログラム４４が予めＲＯＭに保存されるとともに、センサ１２が測定した各種データを記憶するための複数のデータ領域がＲＡＭ上のアドレス空間に割り振られている。
【００４９】
また、モニタ側送受信モジュール３４は、モニタ側制御部３０（又はセンサ側制御部２２）の動作に基づき、所定のデータを送受信する機能を有する。このモニタ側送受信モジュール３４は、センサ側送受信モジュール２６との間で無線データ通信を行うとともに、前記外部機器との間で無線データ送信を行うように構成される。なお、送受信装置１４とモニタ装置１６間のデータの送受信は、無線通信に限定されず、有線通信でもよいことは勿論である。
【００５０】
表示パネル３６は、モニタ装置１６の筐体上面に比較的大きな表示面積を有するように配設される（図３参照）。この表示パネル３６は、例えば、液晶モニタや有機ＥＬ、無機ＥＬ等によって構成される。表示パネル３６は、モニタ装置１６内の内部機構に接続され、モニタ側制御部３０の制御に基づき、血糖値のモニタリングに必要な情報（例えば、血糖値、日時、サンプリング間隔、操作手順、エラー等）を表示する。
【００５１】
一方、操作ボタン３８は、複数の押圧式ボタンからなり、表示パネル３６と共に筐体上面に配置される。これにより、ユーザは、表示パネル３６に表示される情報を確認しつつ、操作ボタン３８を押すことができる。
【００５２】
なお、モニタ装置１６は、以上のような表示パネル３６や操作ボタン３８を備える構成に限定されないことは勿論であり、例えば、タッチパネル方式の表示パネルを採用することで、血糖値のモニタリングにおいて要求される表示と操作を一体的に行うようにしてもよい。
【００５３】
また、タイマー４０は、モニタ装置１６内における時刻（日時）を管理するために設けられる。このタイマー４０は、モニタ装置１６の電源のＯＮ／ＯＦＦに関わらず自動的に時刻を計測するように構成される。
【００５４】
モニタ側電源４２は、センサ側電源２８と同様に種々の電源を適用することができる。このモニタ側電源４２は、モニタ装置１６の電力によって駆動する内部機構（モニタ側制御部３０、モニタ側記憶部３２、モニタ側送受信モジュール３４、表示パネル３６、タイマー４０等）に対し必要な電力を供給する。
【００５５】
血糖モニタシステム１０は、上記各構成を連動させることで、血糖値のサンプリング間隔を設定し、設定されたサンプリング間隔に基づき複数の血糖値を離散的に検出する。特に、サンプリング間隔の設定においては、既述したカーボ値を利用して食後に血糖値が大きく変動する期間を予測し、その期間のサンプリング間隔を短くして、血糖値のサンプリング数を増やし、血糖値の変動を精度よく捉えようとするものである。このサンプリング間隔の設定処理は、モニタ装置１６（制御プログラム４４）によって実施される。
【００５６】
図５は、サンプリング間隔の設定処理を行う図４のモニタ装置１６の機能ブロック図である。
【００５７】
上述したように、モニタ装置１６のモニタ側記憶部３２には、制御プログラム４４が予め保存（記憶）される。血糖モニタシステム１０は、モニタ側制御部３０が制御プログラム４４に従って動作することで、例えば、食事時間や食事内容の設定、血糖値のサンプリング間隔の設定、及びセンサ１２が検出した血糖値の表示及び記憶等を実施する。なお、血糖モニタシステム１０は、上記の構成に限定されるものではなく、センサ１２、送受信装置１４及びモニタ装置１６がまとめられた一体型装置として構成されてもよい。また、血糖値のサンプリング間隔の設定等は、モニタ装置１６内での実施に限定されず、例えば、センサ１２内や送受信装置１４内で実施されてもよい。
【００５８】
この場合、モニタ装置１６の表示パネル３６は、制御プログラム４４に従って動作するモニタ側制御部３０の制御に基づき、血糖モニタシステム１０による血糖値の測定に必要な情報（例えば、食事時間、食事内容やカーボ値、サンプリング間隔等）が表示可能となる。同様に、操作ボタン３８も、血糖値の測定に必要な情報を設定するための各種操作が可能となる。
【００５９】
また、モニタ装置１６は、制御プログラム４４に基づき、モニタ側制御部３０内に食事時間設定部４６（食事時間設定手段）、食事データ設定部４８（食事データ設定手段）、サンプリング間隔設定部５０（サンプリング間隔設定手段）及びサンプリング間隔調整部５１が設けられる。これに対応して、モニタ側記憶部３２のデータ領域には、食事時間記憶領域５２、食事データ記憶領域５４、サンプリング間隔記憶領域５６が形成される。また、モニタ側記憶部３２には、サンプリング間隔の設定において必要な情報となるカーボ値データベース６０及びサンプリング間隔データテーブル６２がデータベース記憶領域５８（データベース記憶手段、サンプリング間隔記憶手段）内に予め保存される。
【００６０】
食事時間設定部４６は、ユーザの操作指示に基づいて入力された食事時間情報を、食事時間記憶領域５２に記憶（設定）させる。ここで、「食事時間情報」とは、ユーザが食事を取る際の時間に関するデータであり、ユーザは食事を取った後（又は取る前）にその時間を食事時間情報としてモニタ装置１６に入力する。この食事時間情報は、ユーザが入力する際、１２時、１２時３０分等のように時刻として入力してもよく、一方、タイマー４０が計測する現在時刻に対し１時間後、１時間３０分後等のように時間量として入力してもよい。ただし、食事時間記憶領域５２には、タイマー４０が計測する時刻と容易に対応関係をもたせるため、時刻の情報として記憶されることが好ましい。
【００６１】
なお、本実施の形態に係る血糖モニタシステム１０は、食後を基準に血糖値の変動状態を予測（設定）する構成であるため、食事の終了後に食事時間情報を設定するほうが、測定精度を高めることができる。勿論、食前に食事の終了時刻を予測して食事時間情報を設定してもよく、また食事にそれほど時間がかからないのであれば、食前や食中の時刻を食事時間情報として設定しても大きな誤差とはならない。
【００６２】
食事時間情報の設定では、タイマー４０によって時刻が計測されていることから、該タイマー４０の時刻に基づき、ユーザが操作ボタン３８を操作することで、食事時間情報を適宜入力して、食事時間記憶領域５２に記憶させることができる。また、モニタ装置１６が時刻入力用の専用ボタンを備え、その専用ボタンを食事終了後に一回押すことで、その時刻を食事時間情報として自動的に設定するように構成してもよい。さらに、毎日食事する時刻が大体同じ時間帯である場合には、その食事時刻を食事時間記憶領域５２に予め登録（記憶）しておいてもよい。この場合、朝食、昼食及び夕食等のように複数の食事時間情報を食事時間記憶領域５２に記憶しておくこともできる。モニタ側制御部３０は、タイマー４０が計測する時刻と予め記憶した食事時間情報に基づき、食事時刻になる（又は近づく）と、ユーザに対し食事時刻であることを報知し、カーボ値の入力を促すように構成してもよい。
【００６３】
この食事時間記憶領域５２に記憶された食事時間情報は、モニタ側制御部３０が血糖値のサンプリング間隔の設定を行う際に読み出されて、演算用データとして使用される。
【００６４】
一方、食事データ設定部４８は、ユーザの操作指示に基づいて入力された食事内容に基づく情報を食事データ記憶領域５４に記憶（設定）させる。ここで、「食事内容に基づく情報」としては、本発明の前提において説明した食事内容毎の炭水化物の量を示すカーボ値が用いられる。
【００６５】
すなわち、食事データ設定部４８は、ユーザが操作ボタン３８を操作することによって、カーボ値を数値データとして食事データ記憶領域５４に記憶させる。この場合、ユーザによって１回の食事における食事内容（品目）毎のカーボ値が加算されて、合計値として食事データ記憶領域５４に記憶される。また、モニタ装置１６に計算機能（図示せず）を持たせておき、ユーザによって食事内容毎のカーボ値が入力されると、カーボ値の合計値を算出するようにしてもよい。さらに、食事内容毎のカーボ値を、食事時間記憶領域５２に記憶される食事時間情報と関連付けて記憶させるようにしてもよい。この場合でも、モニタ側制御部３０は、同じ時刻（時間帯）にとった食事内容（カーボ値）をまとめて読み出して加算することで、血糖値の変動状態を予測することができる。
【００６６】
上述したように、モニタ側記憶部３２のデータベース記憶領域５８には、カーボ値データベース６０が予め保存される。カーボ値データベース６０とは、例えば、図２に示すような食事内容毎にカーボ値が付与された複数のデータ群である。モニタ側制御部３０は、ユーザの操作に基づき、このカーボ値データベース６０を読み出して、表示パネル３６に表示させる。これにより、ユーザは、表示されたカーボ値データベース６０でカーボ値を確認しつつ、食事データ記憶領域５４にカーボ値を入力していくことができる。
【００６７】
カーボ値データベース６０を用いた食事内容の表示方法としては、例えば、図２に示す大きな分類（主食、ごはん類、めん類…等）を選択させ、さらに詳細な分類（ごはん、もち、食パン…等）を選択させていくツリー形式を採ること等が考えられる。
【００６８】
また、食事データ設定部４８は、ユーザがカーボ値を直接入力せずに、表示パネル３６に表示された食事内容（カーボ値データベース６０）をユーザによって選択させることで、この選択された食事内容のカーボ値を食事データ記憶領域５４に記憶するように構成してもよい。この場合、表示パネル３６としてタッチパネルを採用している場合は、カーボ値データベース６０に登録されている複数の食事内容を、表示パネル３６に表示しつつ、ユーザに選択させることができ、データ入力をより容易化することができる。
【００６９】
モニタ側記憶部３２（例えば、データベース記憶領域５８）には、食事内容とカーボ値の他に、該食事内容に関連付けられた写真データが記憶されていてもよい。食事内容に関連付けられた写真データは、表示パネル３６によって表示されることで、ユーザによる食事内容毎のカーボ値の入力（選択）を一層容易化することができる。
【００７０】
また、サンプリング間隔設定部５０は、食事時間設定部４６が設定した食事時間情報、及び食事データ設定部４８が設定したカーボ値を、食事時間記憶領域５２及び食事データ記憶領域５４からそれぞれ読み出して、血糖値のサンプリング間隔を設定する機能を有する。このサンプリング間隔設定部５０が設定したサンプリング間隔情報は、サンプリング間隔記憶領域５６に記憶される。
【００７１】
ここで、本実施の形態に係る血糖値のサンプリング間隔は、データベース記憶領域５８に記憶されるテーブル（サンプリング間隔データテーブル６２）に基づいて設定される。サンプリング間隔データテーブル６２は、カーボ値に対応した複数のパターンデータとして用意されるものである。図６は、このサンプリング間隔のパターンデータの一例を概略的に示す説明図である。なお、図６では、サンプリング間隔のパターンの理解を容易にするために、パターンデータを横棒グラフによって表しているが、データベース記憶領域５８には、単純に数値データとして記憶すればよいことは勿論である。
【００７２】
図６に示すように、サンプリング間隔データテーブル６２では、複数（図６中では３つ）のサンプリング間隔が設定される。具体的に、図６中の斜線数が多いハッチングはサンプリング間隔が１分に設定され（以下、サンプリング間隔ａともいう）、図６中の斜線数が少ないハッチングはサンプリング間隔が５分に設定され（以下、サンプリング間隔ｂともいう）、図６中のハッチングがない部分はサンプリング間隔が１０分に設定される（以下、サンプリング間隔ｃともいう）。センサ１２による血糖値の検出は、３つのサンプリング間隔ａ〜ｃが適宜組み合わされて、１つのパターンデータに構築され、該パターンデータに基づき実施される。
【００７３】
サンプリング間隔データテーブル６２は、カーボ値（一回の食事の合計値）の範囲が１０以上、３〜１０未満、３未満の３つに分けられ、これら３つの範囲に対応するように、３つのパターンデータ設定されている（以下、カーボ値の範囲順（１０以上、３〜１０未満、３未満）に対応して、第１〜第３パターンともいう）。このパターンデータは、食事時刻（食事時間情報）を基準（０ベース）とする時間量として設定されている。すなわち、図６中の横軸の時間目盛は、食事時刻を基点に、食後１時間、食後２時間…、を表わしている。
【００７４】
カーボ値の範囲が１０以上である第１パターンは、５分のサンプリング間隔ｂが食事時刻（０時間）直後に開始され、３０分後に１分のサンプリング間隔ａに切り換わり、該サンプリング間隔ａを９０分間実施した後、再びサンプリング間隔ｂに切り換わって３０分間実施し、その後１０分のサンプリング間隔ｃを継続的に行うように構成される。すなわち、カーボ値が１０以上の場合は、食後から比較的急に血糖値が上昇し、１時間程度でピーク値となることが想定される。よって、第１パターンでは、食後１時間前後の血糖値の変動率を精度よく検出するため、サンプリング間隔ａの実施期間が、食後１時間を含むように設定される。
【００７５】
一方、カーボ値の範囲が３〜１０未満である第２パターンは、食事時刻（０時間）直後は１０分のサンプリング間隔ｃが実施される。そして、食後１時間後に５分のサンプリング間隔ｂに切り換わって３０分間実施し、次に１分のサンプリング間隔ａに切り換わって６０分間実施し、再びサンプリング間隔ｂに切り換わって３０分間実施して、最後にサンプリング間隔ｃに戻って該サンプリング間隔ｃを継続的に行うように構成される。すなわち、カーボ値が３〜１０未満の範囲では、食後は徐々に血糖値が上昇し、２時間程度でピーク値となることが想定される。よって、第２パターンでは、食後２時間前後の血糖値の変動率を精度よく検出するため、サンプリング間隔ａの実施期間が、食後２時間を含むように設定される。
【００７６】
また、カーボ値の範囲が３未満である第３パターンは、第２パターンと同様に、食事時刻（０時間）直後は１０分のサンプリング間隔ｃが実施される。そして、食後１時間３０分後に５分のサンプリング間隔ｂに切り換わって６０分間実施し、その後再びサンプリング間隔ｃに戻って該サンプリング間隔ｃを継続的に行うように構成される。すなわち、カーボ値が３未満の範囲では、食後に血糖値がそれほど大きなピーク値とならず、血糖値の変化が比較的低い山形形状となることが想定される。よって、第３パターンでは、サンプリング間隔ａを実施せずに、食後２時間前後にサンプリング間隔ｂを実施するように設定される。
【００７７】
図５に戻り、モニタ装置１６のサンプリング間隔設定部５０は、サンプリング間隔データテーブル６２のパターンデータ（第１〜第３パターン）の中からカーボ値に基づいて１つのパターンデータを選択する。そして、食事時間情報（食事時刻）に基づき、選択したパターンデータを時刻に換算し、血糖値のサンプリング間隔情報としてサンプリング間隔記憶領域５６に記憶（設定）する。
【００７８】
なお、サンプリング間隔設定部５０は、ユーザの操作指示に基づきパターンデータを手動で変更してサンプリング間隔記憶領域５６に記憶させてもよい。例えば、食事内容によってはカーボ値が分からない場合があり、カーボ値を利用してサンプリング間隔（パターンデータ）を設定できない可能性もある。このため、ユーザの操作指示によってサンプリング間隔を設定すれば、より汎用性を高めることができる。
【００７９】
また、サンプリング間隔調整部５１は、ユーザの操作指示に基づきサンプリング間隔データテーブル６２に記憶されている血糖値のサンプリング間隔ａ〜ｃを変更する機能を有する。すなわち、本実施の形態に係る血糖値のサンプリング間隔ａ〜ｃは固定的なパラメータではなく、ユーザの操作によって調整可能となっている。
【００８０】
例えば、図６に示す１分のサンプリング間隔ａは１分〜２分程度の範囲で、５分のサンプリング間隔ｂは３〜８分程度の範囲で、１０分のサンプリング間隔ｃは８〜１５分程度の範囲で、血糖値の検出時間の間隔を調整することが考えられる。このように、サンプリング間隔調整部５１によって、血糖値のサンプリング間隔を調整することで、例えば、患者の状態（病状や運動の有無等）に応じてサンプリング数を調整することができ、自由度の高い血糖値の検出を実現できる。
【００８１】
サンプリング間隔調整部５１は、ユーザにより調整されたサンプリング間隔ａ〜ｃを、データベース記憶領域５８に記憶（設定）することで、サンプリング間隔データテーブル６２のパターンデータも同時に書き換える。これにより、カーボ値の利用によりパターンデータ（第１〜第３パターン）が選択された際に、調整されたサンプリング間隔が使用される。なお、サンプリング間隔の調整の範囲は上記に限定されないことは勿論である。
【００８２】
モニタ装置１６のモニタ側送受信モジュール３４は、モニタ側制御部３０の制御に基づき、サンプリング間隔記憶領域５６に記憶されたサンプリング間隔情報（データ）を適時送受信装置１４のセンサ側送受信モジュール２６（図４参照）に無線送信する。この場合、モニタ装置１６は、タイマー４０による時刻の計測に基づき、異なるサンプリング間隔に切り換えるタイミング（例えば、サンプリング間隔ａからサンプリング間隔ｂに切り換える）で、サンプリング間隔情報を送受信装置１４に送信する。
【００８３】
図４に示すように、送受信装置１４は、モニタ装置１６からサンプリング間隔情報を受信すると、センサ側記憶部２４にサンプリング間隔情報を記憶する。そして、センサ側制御部２２は、このサンプリング間隔情報に基づき、血糖値のサンプリング間隔を変更して、センサ１２による血糖値の検出を制御する。
【００８４】
サンプリング間隔情報に基づき、検出された血糖値データは、送受信装置１４のセンサ側記憶部２４に一時的に記憶される。そして、センサ側制御部２２は、センサ側送受信モジュール２６を介して、モニタ装置１６（モニタ側送受信モジュール３４）に検出した血糖値データを送信する。この場合、センサ１２が血糖値を検出する度に、その血糖値データを送受信装置１４からモニタ装置１６に送信してもよく、送受信装置１４において血糖値データを複数記憶してまとめてモニタ装置１６に送信してもよい。
【００８５】
モニタ装置１６は、血糖値データをモニタ側記憶部３２の血糖値データ記憶領域６４に記憶し、例えば、ユーザの操作に応じて、該血糖値を表示パネル３６に表示させる。表示パネル３６による血糖値の表示方法としては、血糖値データを数値データとして連続表示する、標本化グラフとして表示する、或いはサンプリング間隔と血糖値データから連続的（アナログ的）な血糖値を予測して血糖値の変動カーブを表示する等、色々な表示が考えられる。
【００８６】
次に、モニタ装置１６におけるサンプリング間隔の設定について具体的に説明していく。モニタ側制御部３０は、制御プログラム４４に従って処理を行うことで、上記の各設定部４６、４８を動作させ、ユーザが入力する各設定情報をモニタ側記憶部３２の各領域５２、５４に記憶させる。サンプリング間隔設定部５０（モニタ側制御部３０）は、モニタ側記憶部３２に記憶された食事時間情報とカーボ値（食事内容に基づく情報）に基づき、血糖値のピーク値付近の時間を比較的容易に割り出すことができる。
【００８７】
具体的には、サンプリング間隔設定部５０は、食事データ記憶領域５４から食事時間情報に対応したカーボ値を読み出す。この際、カーボ値が食事内容毎に別々に記憶されている場合は、これらのカーボ値を全て加算して、カーボ値の合計値を求める。なお、カーボ値が合計値として食事データ記憶領域５４に記憶されている場合は、その値を単純に読み出す。
【００８８】
次に、サンプリング間隔設定部５０は、データベース記憶領域５８に予め保存されているサンプリング間隔データテーブル６２を読み出す。そして、サンプリング間隔データテーブル６２に登録されている第１〜第３パターンの中からカーボ値（合計値）に対応したいずれかのパターンデータを選択する。その後、食事時間記憶領域５２から食事時間情報を読み出し、設定されている食事時刻にパターンデータの０ベースを合わせて、時刻に基づく血糖値のサンプリング間隔情報をサンプリング間隔記憶領域５６に記憶（設定）する。
【００８９】
血糖モニタシステム１０は、基本的には以上のように構成されるものであり、次にこの血糖モニタシステム１０の動作及び効果について説明する。図７は、本実施の形態に係る血糖モニタシステム１０による血糖値の測定動作の一例を示すフローチャートであり、図８は、本実施の形態に係る血糖モニタシステム１０によるサンプリング間隔の処理動作を示すフローチャートである。
【００９０】
本実施の形態に係る血糖モニタシステム１０を用いて血糖値を測定する場合は、まず医師や看護師が患者（ユーザ）の所定の測定箇所（例えば、脇腹や上腕等）にセンサ１２及び送受信装置１４を取り付ける。この場合、センサ１２の穿刺針をユーザの皮下に穿刺して、ユーザの血液をセンサ１２の接触面１２ａに導くようにセットする。これにより、血糖モニタシステム１０は、機械的な装置の設置が完了し、血糖値の測定が可能となる。
【００９１】
装置の設置完了後、医師や看護師によって、血糖モニタシステム１０の電源（センサ側電源２８、モニタ側電源４２）がオンされ、センサ１２、送受信装置１４及びモニタ装置１６が起動される（ステップＳ１０）。
【００９２】
次に、モニタ装置１６を介して、血糖モニタシステム１０による血糖値の測定の初期設定が行われる（ステップＳ１１）。この初期設定では、モニタ装置１６において、食事時刻を含まない通常状態における血糖値のサンプリング間隔の設定がなされ、この初期設定のサンプリング間隔情報が送受信装置１４に送信される。本実施の形態では、通常状態のサンプリング間隔が１０分（図６に示すサンプリング間隔ｃと同じ間隔）に設定される。一方、送受信装置１４は、センサ側制御部２２が、センサ側記憶部２４から血糖値の測定用のプログラムとサンプリング間隔情報を読み出して、センサ１２による血糖値の検出を可能とする。
【００９３】
初期設定後、センサ側制御部２２の制御に基づき、センサ１２によるユーザの血糖値の検出が開始される（ステップＳ１２）。
【００９４】
この際、血糖モニタシステム１０は、送受信装置１４において、モニタ装置１６からサンプリング間隔情報の変更指示があるか否かを判別し（ステップＳ１３）、サンプリング間隔情報の変更指示がある場合は、ステップＳ１４に進み、変更指示がない場合は、ステップＳ１４を飛ばしてステップＳ１５に進む。
【００９５】
ステップＳ１４では、モニタ装置１６から送受信装置１４に対してサンプリング間隔情報の送信がなされ、センサ側制御部２２によって血糖値のサンプリング間隔の変更が実施される。この場合、モニタ装置１６においては、既にカーボ値に基づくパターンデータの選択（設定）が実施済みである。
【００９６】
次に、センサ１２によって血糖値の検出を行い、検出した血糖値データをセンサ側記憶部２４に記憶する（ステップＳ１５）。血糖値の検出においては、センサ側制御部２２が、内部タイマーによってサンプリング間隔情報に基づくカウントを行い、所定のカウントとなった場合に、センサ１２の発光素子に電力供給を行い、測定光を照射してユーザの血糖値を光学的に測定する。
【００９７】
次に、血糖モニタシステム１０は、センサ側記憶部２４に記憶した血糖値データを、センサ側及びモニタ側送受信モジュール２６、３４を介して、モニタ装置１６に送信する（ステップＳ１６）。この血糖値データは、モニタ側記憶部３２の血糖値データ記憶領域６４に記憶される。
【００９８】
次に、血糖値の検出を終了するか否かが判別され（ステップＳ１７）、血糖値の検出を継続する場合は、ステップＳ１３に戻り、再びステップＳ１３〜Ｓ１６までの処理が実施される。
【００９９】
一方、血糖値の検出を終了する場合は、ステップＳ１８において、電源のオフがなされ、センサ１２、送受信装置１４及びモニタ装置１６の起動が停止される（ステップＳ１８）。
【０１００】
以上のように、血糖モニタシステム１０は設定されたサンプリング間隔に基づき血糖値の測定を行うことができる。なお、モニタ装置１６による血糖値の表示、すなわち測定結果の確認は、血糖値の検出とは無関係に、血糖値の測定中及び測定終了時に、医師や看護師、ユーザの操作によって自在に行うことができる。
【０１０１】
次に、食事をとった場合における血糖値のサンプリング間隔の設定処理フローについて説明する。図８に示すように、モニタ装置１６は、設定開始前は待機モードとされている（ステップＳ２０）。この待機モードでは、モニタ装置１６内のうち、送受信装置１４から血糖値データを受信し記憶する機能、及びタイマー４０の時刻計測機能が低電力駆動されて、センサ１２が検出した血糖値データを継続的に記憶している。
【０１０２】
ユーザが食事をとると、ユーザによってモニタ装置１６が操作され、制御プログラム４４によって動作するモニタ側制御部３０により、サンプリング間隔の設定モードが開始される（ステップＳ２１）。この場合、表示パネル３６には、サンプリング間隔の設定用案内画面が表示される。
【０１０３】
そして、モニタ側制御部３０は、食事時間情報を入力（設定）させる時刻入力用の画面を表示パネル３６に表示させる（ステップＳ２２）。ユーザから食事時間情報が入力されると、食事時間設定部４６を介して、食事時間記憶領域５２に該食事時間情報が記憶される。
【０１０４】
次に、モニタ側制御部３０は、カーボ値（食事内容に基づく情報）を入力（設定）させるカーボ値入力用の画面を表示パネル３６に表示させる（ステップＳ２３）。カーボ値の入力においては食事内容毎に個々にカーボ値が入力されて、食事データ設定部４８を介して、食事データ記憶領域５４に食事内容毎のカーボ値が複数記憶される。この際、複数のカーボ値は食事時間情報に関連付けられて記憶される。なお、既述したように、一回の食事におけるカーボ値の合計値がユーザによって入力されてもよい。
【０１０５】
次に、モニタ側制御部３０（サンプリング間隔設定部５０）は、食事時間情報に関連付けられている複数のカーボ値を読み出して加算し、該カーボ値の合計値に基づき、血糖値のサンプリング間隔のパターンデータを設定する（ステップＳ２４）。この際、データベース記憶領域５８に保存されるサンプリング間隔データテーブル６２を読み出し、該サンプリング間隔データテーブル６２に登録されているパターンデータ（第１〜第３パターン）を選択する。
【０１０６】
その後、モニタ側制御部３０は、食事時間記憶領域５２に記憶されている食事時間情報を読み出し、選択したパターンデータの０ベースを該食事時刻に合わせ、サンプリング間隔情報としてサンプリング間隔記憶領域５６に記憶（設定）する（ステップＳ２５）。
【０１０７】
そして、モニタ側制御部３０は、タイマー４０の時刻計測に基づき、送受信装置１４にサンプリング間隔情報を送信するか否かを判別する（ステップＳ２６）。この場合、モニタ側制御部３０は、設定したサンプリング間隔情報（パターンデータ）に含まれる実施期間の情報（時刻）と現在時刻を比較し、現在のサンプリング間隔と異なるサンプリング間隔に切り換わるか否かを判別し、切り換わる場合はステップＳ２７に進み、切り換わらない場合は該判別を継続する。
【０１０８】
ステップＳ２７では、新たなサンプリング間隔情報をモニタ装置１６から送受信装置１４に送信する。
【０１０９】
送受信装置１４は、モニタ装置１６からサンプリング間隔情報を受信すると、センサ側制御部２２が該サンプリング間隔情報に基づき、血糖値のサンプリング間隔を変更する（ステップＳ２８）。そして、センサ側制御部２２は、変更したサンプリング間隔に基づき、センサ１２による血糖値の検出を実施する。
【０１１０】
なお、モニタ装置１６と送受信装置１４間で送受信するデータの内容は、上記のようにサンプリング間隔が切り換わる毎に、サンプリング間隔情報を送信するだけでなく種々の態様を採り得ることは勿論である。
【０１１１】
例えば、血糖モニタシステム１０は、モニタ装置１６がカーボ値に基づき設定したパターンデータ（複数種類のサンプリング間隔が組み合わされた情報）をそのまま送受信装置１４に送信してセンサ側記憶部２４に該パターンデータを記憶させてもよい。センサ側制御部２２は、記憶されたパターンデータを用いて血糖値を検出することがきる。また、送受信装置１４が内部に時刻を計測するタイマー（図示せず）を備えることで、このタイマーの時刻計測に従って異なるサンプリング間隔を切り換えることが可能となり、パターンデータに沿った血糖値のサンプリングを行うことができる。このように、モニタ装置１６からパターンデータを１回送信するだけで、設定されたサンプリング間隔で血糖値を検出できるので、データの送受信が簡易化される。
【０１１２】
以上のように、本実施の形態に係る血糖モニタシステム１０は、血糖値の測定結果を表示するモニタ装置１６によって、カーボ値を利用したサンプリング間隔の設定変更を容易に行って、センサ１２による血糖値のサンプリング間隔を変更することができる。
【０１１３】
次に、血糖値のサンプリング間隔の変更の具体例として、ユーザが昼食時にカレーライスを選び、１３時に食べ終えた場合について説明する。図９Ａは、具体例に係る血糖値の変動カーブの一例を示すグラフであり、図９Ｂは、本血糖モニタシステム１０を用いて血糖値のサンプリング間隔を変更した場合に、図９Ａの変動カーブから得られる血糖値データの標本グラフである。なお、図９Ｂに示す血糖値のサンプリング間隔は概略的に示しており、実際のサンプリング間隔とは異なる。
【０１１４】
ユーザが上記のように食事をとった場合は、上述したサンプリング間隔の設定フロー（図８参照）に従って所定の処理が行われる。すなわち、ユーザの操作により、食事時間情報として１３時が食事時間記憶領域５２に設定（記憶）され、一回の食事のカーボ値データとして１４（図２参照）が食事データ記憶領域５４に設定される。モニタ側制御部３０は、この２つの情報（食事時間情報及び食事内容に基づく情報）が関連するように入力されると、血糖値のサンプリング間隔（パターンデータ）の設定を行う。この場合、カレーライスのカーボ値が１４であることから、図６に示すサンプリング間隔データテーブル６２を参照して第１パターンを選択する。そして、食事時間記憶領域５２から読み出した１３時（食事時間情報）に第１パターンの０ベースを合わせて、時刻に基づく血糖値のサンプリング間隔情報をサンプリング間隔記憶領域５６に記憶（設定）する。
【０１１５】
送受信装置１４には、モニタ装置１６から第１パターンに応じたサンプリング間隔情報が送信され、該サンプリング間隔情報に基づき血糖値の検出を行う。すなわち、１３時〜１３時３０分の間は、５分のサンプリング間隔ｂで検出し、１３時３０分〜１５時の間は、１分のサンプリング間隔ａで検出し、１５時〜１５時３０分の間は、再び５分のサンプリング間隔ｂで検出し、１５時３０分以降は、１０分のサンプリング間隔ｃで検出する。
【０１１６】
カーボ値が１４というように高い場合は、炭水化物が時間をかけずに血糖化されることが想定されるため、血糖値が急激に上昇して食後１時間程度（１４時前後）で最も高いピーク値付近を示す変動カーブが予測される。血糖モニタシステム１０は、この変動率が大きい期間の血糖値について、サンプリング間隔を短くしサンプリング数を多くすることで、血糖値のピーク値付近の変動状態（変動カーブ）を精度よく捉えることができる。
【０１１７】
以上のように、本実施の形態に係る血糖モニタシステム１０によれば、サンプリング間隔設定部５０がカーボ値を用いて、センサ１２のサンプリング間隔を設定することで、食後に血糖値が大きく変動する期間では、サンプリング間隔を短くして血糖値のサンプリング数を増やし、血糖値の変動が小さい期間ではサンプリング間隔を長くすることで血糖値のサンプリング数を減らすことができる。これにより、変動率が大きい期間の血糖値を正確に捉えることが可能になるとともに、血糖値の変動率が小さい期間では検出回数を減らして検出結果の処理負荷を軽減し、電力消費量を低減することができる。特に、サンプリング間隔に基づき電力を供給する光学的測定方法では、センサ１２側の電力消費量を大幅に低減することができる。すなわち、血糖値の変動状態を効率的にモニタリングして、血糖管理を良好に実施することができる。
【０１１８】
この場合、食事時間情報に基づきセンサ１２のサンプリング間隔を適時変更することで、食後に血糖値が上昇し、ピーク値付近の前後所定時間の変動率が大きい血糖値を、短いサンプリング間隔で検出することが可能となり、血糖管理に重要な期間のモニタリング精度を向上することができる。
【０１１９】
また、表示パネル３６によってカーボ値データベース６０を表示することで、ユーザは、表示された食事内容に基づくカーボ値を容易に利用することができる。この場合、食事データ設定部４８は、表示パネル３６が表示した食事内容が選択されることで、カーボ値を設定するようにすれば、ユーザは、食事内容の選択だけで、カーボ値を利用することができる。従って、ユーザ自身が食事内容をカーボ値に換算する作業を省略することが可能となり、血糖値のサンプリング間隔をより簡単に設定することができる。
【０１２０】
さらに、カーボ値の合計値に基づき複数のパターンデータから１つを選択することで、カーボ値に基づくパターンデータに沿って簡単にサンプリング間隔を変更することができる。また、血糖値の変動率が大きいピーク値の前後所定時間に対し、１つのパターンデータのうち最も短いサンプリング間隔を合わせて血糖値を検出することもできる。
【０１２１】
なお、本発明は、上述の実施の形態に限らず、本発明の要旨を逸脱することなく、種々の構成を採り得ることはもちろんである。
【図１】
2013046911.tif 000003
【図２】
2013046911.tif 000004
【図３】
2013046911.tif 000005
【図４】
2013046911.tif 000006
【図５】
2013046911.tif 000007
【図６】
2013046911.tif 000008
【図７】
2013046911.tif 000009
【図８】
2013046911.tif 000010
【図９】
2013046911.tif 000011
【国際調査報告】
2013046911.tif 000012
2013046911.tif 000013
2013046911.tif 000014
2013046911.tif 000015